(57)【要約】【課題】  現場施工において不要部分として受け部３１や釘打ち部３７をカットした場合の、半円筒形部３５の変形を防止するための金属瓦の補強用金具及びその製造方法を提供することにある。【解決手段】  金属瓦１０の半円筒形部１１に挿嵌する金属瓦１０の補強用金具１であって、半円筒形部１１の内面側に挿嵌する半円筒形状の金具本体１と、金具本体１の一方の半円形断面外縁部から放射状に突設される小片状の固定用爪部５と、から構成されている。また、前記固定用爪部５が金具本体２から突設される根元部は、切り込み６もしくは切り欠き７を設けている。【選択図】  図１
2005097880.tif 000002
【特許請求の範囲】
【請求項１】
金属瓦の半円筒形部に挿嵌する金属瓦の補強用金具であって、
半円筒形部の内面側に挿嵌する半円筒形状の金具本体と、金具本体の一方の半円形断面外縁部から放射状に突設される小片状の固定用爪部とからなることを特徴とする金属瓦の補強用金具。
【請求項２】
前記固定用爪部が金具本体から突設される根元部は、切り込みもしくは切り欠きを設けてなることを特徴とする請求項1に記載の金属瓦の補強用金具。
【請求項３】
前記金具本体が半円筒形部と接触する部分に、突起部を備えてなることを特徴とする請求項１もしくは請求項２のいずれかに記載の金属瓦の補強用金具。
【請求項４】
前記金属瓦の半円筒形部に挿嵌する金属瓦の補強用金具の製造方法であって、
金属板を二つ折りに加工して折り目部を有する帯状部材を形成した後、帯状部材に曲げ加工を施して、外周部の断面形状を半円筒形部の内周側の断面形状と略同一になるような半円筒形に成形することを特徴とする金属瓦の補強用金具の製造方法。
【発明の詳細な説明】
【技術分野】
【０００１】
本発明は、金属瓦の補強用金具及びその製造方法に関するものであり、詳しくは、建築物等の屋根下地に対し棟と平行ピッチで設けた瓦桟間に固定する金属瓦を補強するための補強用金具及びその製造方法に関するものである。
【背景技術】
【０００２】
従来の金属瓦においては、図５（ａ）に示すような、成形体の後部（棟側）が上方に略逆Ｕ字状に屈曲された受け部３１と受け部３１の上端より略水平に延設された釘打ち部３７を有し、成形体の前部（軒先側）より下方へ略垂直に屈曲した係合段部３２と、係合段部３２より略水平に延設された前張り出し３３を有し、さらに、平坦部３４と平坦部３４より隆起した半円筒形部３５を複数個有して構成されるものが知られている。この金属瓦３０を、成形体の横方向および縦方向に複数個連設することによって屋根葺きをおこなう。より詳細には、横方向の連設は、図５（ｂ）に示すように、半円筒形部３５に他の金属瓦３０の半円円筒形部３５を重ね合わせて釘やビス等の止着具３６で、この半円筒形部３５の重ね合わせ部および釘打ち部３７を家屋の屋根下地に固定し、縦方向の連設は、図５（ｃ）に示すように、金属瓦３０の後部の受け部３１に他の金属瓦３０の係合段部３２に引き掛けて重ね合わせ、この状態で釘打ち部３７より釘やビス等の止着具３６を打ち込むことによって固定される。（特許文献１）
このような金属瓦３０を軒先部Ｅから棟部Ｒに連設していくと、図６に示すように、棟部（図６（ａ））や下屋部の壁Ｗの立ち上がり部（図６（ｂ））で不要部分Ｎが発生する場合があり、このような場合は、板金ハサミ等で不要部分Ｎをカットするのが通常である。しかし、不要部分Ｎに受け部３１や釘打ち部３７が含まれている場合には、本来止着具を打ち込むべき部分がないため、図７に示すように、金属瓦３０の半円筒形部３５の山部３８を釘やビス等の止着具３６で固定することがある。その場合、止着具３６の締付け力が強過ぎると、半円筒形部３５が変形したり、施工等の目的で屋根面を歩くことにより、半円筒形部３５に過大な負担がかかり、変形することも考えられる。
【特許文献１】特開２０００−１１０３０５号公報
【発明の開示】
【発明が解決しようとする課題】
【０００３】
本発明は、このような点に鑑みてなされたものであり、その目的とするところは、現場施工において不要部分として受け部３１や釘打ち部３７をカットした場合の、半円筒形部３５の変形を防止するための金属瓦の補強用金具及びその製造方法を提供することである。
【課題を解決するための手段】
【０００４】
上記した課題を解決するために、本発明の請求項１に係る金属瓦の補強用金具は、金属瓦の半円筒形部に挿嵌する金属瓦の補強用金具であって、半円筒形部の内面側に挿嵌する半円筒形状の金具本体と、金具本体の一方の半円形断面外縁部から放射状に突設される小片状の固定用爪部とからなることを特徴とする。
【０００５】
本発明の請求項２に係る金属瓦の補強用金具は、前記固定用爪部が金具本体から突設される根元部は、切り込みもしくは切り欠きを設けてなることを特徴とする。
【０００６】
本発明の請求項３に係る金属瓦の補強用金具の製造方法は、前記金属瓦の半円筒形部に挿嵌する金属瓦の補強用金具の製造方法であって、金属板を二つ折りに加工して折り目部を有する帯状部材を形成する工程と、帯状部材に曲げ加工を施して、外周部の断面形状を半円筒形部の内周側の断面形状と略同一になるような半円筒形に成形する工程と、を有することを特徴とする。
【発明の効果】
【０００７】
本発明の請求項１に係る金属瓦の補強用金具によると、金具本体は半円筒形部内面に金具本体を挿嵌するので、半円筒形部は金具本体に補強されて耐荷重性が向上し、また、金具本体の半円形断面の外縁部から放射状に突設される固定用爪部を折り曲げることにより、半円筒形部材に均等に固定することができるので、半円筒形部の山部を釘やビス等の止着具で屋根下地に固定する場合でも、過剰な締付け力による変形や、施工者の重量等による変形を有効に防止することができる。そのため、現場施工において本来止着具を打ち込む部分を不要部分としてカットした場合であっても、半円筒形部の変形を防止することができる。
【０００８】
本発明の請求項２に係る金属瓦の補強用金具によると、上述した請求項１の効果に加えて、固定用爪部の根元部に切り込みもしくは切り欠きを設けているので、固定用爪部を半円筒形部材に固定する際、折り曲げが容易になる。また、固定用爪部が金具本体に連結している部分が少なくなるため、板状部材を曲げて半円筒形状の金具本体を形成する際の加工性が良好になる。
【０００９】
本発明の請求項３に係る金属瓦の補強用金具によると、上述した請求項１の効果に加えて、金具本体が半円筒形部と接触する部分に突起部を備えているので、半円筒形部に挿嵌後の補強用金具は、金具本体と半円筒形部との摩擦力が大きくなり、補強用金具のずれや、施工時の抜けを防止することができる。
【００１０】
本発明の請求項４に係る金属瓦の補強用金具の製造方法によると、金具本体が金属板を二つ折りにして折り目部を有する帯状部材を成形し、その後曲げ加工を施すことにより、二層構造となるため、薄板材であっても強度の強い補強用金具を得ることができる。また、曲げ加工の際に、折り目部内側にシワが発生し、このシワはリブとしての役目も果たすため、補強用金具の強度が向上する。
【発明を実施するための最良の形態】
【００１１】
（実施形態１）
本発明の第１の実施形態を図１及び図２に基づいて説明する。
図１及び図２において、１は補強用金具、２は金具本体、５は固定用爪部、６は固定用爪部５の根元部に設けた切り込み、７は固定用爪部５の根元部に設けた切り欠き、８は補強用金具１に設けた突起部、１０は金属瓦、１１は金属瓦１０の半円筒形部である。
【００１２】
図１は、本実施形態における金属瓦１０の補強用金具１を金属瓦１０に挿嵌する様子を示す斜視図である。同図に示すように、本実施形態における補強用金具1は、半円筒形部材の金具本体２と、金具本体２の一方の断面半円形縁部から放射状に突設される小片状の固定用爪部５からなる。
【００１３】
金具本体２は鋼鈑を塑性加工して得られるものであり、その外周側の断面形状は、金属瓦１０の半円筒形部１１の内周側断面形状と略同一であり、半円筒形部１１の内部空間に挿嵌されるものである。
【００１４】
固定用爪部５は、金具本体２と一体に成形されている小片状部材であり、金具本体２の一方の断面半円形縁部から放射状に突設されている。本実施形態においては、固定用爪部５が矩形であるが、これに限定されるものではなく、後述するように、折り曲げて金属瓦１０に固定可能な形状であればよい。
【００１５】
補強用金具１は、金具本体２の２つの断面半円形縁部のうち、固定用爪部５が突設していない側を差込側として、半円筒形部１１に挿入する。金具本体２が半円筒形部１１挿嵌されると、半円筒形部１１の開口部と固定用爪部５が接触して行き止まりになり、その位置で固定用爪部５を半円筒形部１１側に折り曲げて、補強用金具１を金属瓦１０に固定する。このような補強用金具１を半円筒形部１１に嵌挿することにより、金具本体２は補強されて耐荷重性が向上するので、半円筒形部１１の山部を釘やビス等の止着具で屋根下地に固定する場合でも、過剰な締付け力による変形や、施工者の重量等による変形を防止することができる。また、固定用爪部５を放射状に設けているので、補強用金具１を金属瓦１０に均等に固定することができ、補強用金具１のずれや、施工時の抜けを防止することができる。さらに、金属瓦１０に補強用金具１を挿嵌後、カシメ工具等により圧接すれば、より強固に固定されるため、補強用金具１のずれや、施工時の抜けの防止がより確実となる。
【００１６】
図２は、補強用金具１の製造方法の概略を示す説明図である。同図に示すように、帯状部材の長辺側の一方の端部より小片状の固定用爪部５が等間隔に突設される鋼鈑に曲げ加工を行なうことにより、半円筒形の金具本体２が形成されるとともに、固定用爪部５が、金具本体２の一方の半円形断面外縁部から放射状に突設される形状となる。この固定用爪部５が帯状鋼鈑から突設される根元部に図２（ａ）に示すような切りこみ６や図２（ｂ）に示すような切り欠き７を設ければ、帯状鋼鈑を曲げ加工して金具本体２を形成する際、帯状鋼鈑と固定用爪部５との接続部分の面積が小さくなるため、半円筒形状への加工が容易になって所望の形状が得やすくなる。また、このようにして得られた補強用金具１は、固定用爪部５を金属瓦１０に固定する際の折り曲げが容易になり、作業性が向上する。
【００１７】
さらに、帯状鋼鈑の表面であって、金具本体２の成形後に半円筒形部１１と接触する部分に、予め突起部８を設けておけば、半円筒形部１１に挿嵌後の補強用金具１は、金具本体２と半円筒形部１１との摩擦力が大きくなるため、補強用金具１のずれや、施工時の抜けを防止することができる。
（実施形態２）
本発明の第２の実施形態を図３及び図４に基づいて説明する。図３及び図４において１０は金属瓦、１１は金属瓦１０の半円筒形部、２０は２層構造の補強用金具、２１は補強用金具２０の上層部、２２は補強用金具２０の下層部、２３は補強用金具２０の折り目部、２４は金具本体である。
【００１８】
図３は、本実施形態における補強用金具２０を金属瓦１０に挿嵌する様子を示す斜視図である。この補強用金具２０は、薄板の鋼鈑に、加工後の鋼鈑の裾部２１ａ、２２ｂの位置が一致するように折り曲げ加工を行ない、二つ折りにして帯状部材を作製する。この帯状部材に曲げ加工を施して、半円筒形の補強用金具２０が形成される。この補強用金具２０は、上層部２１及び下層部２２が折り目部２３からなる2層構造の金具本体２４からなり、上層部２１及び下層部２２は折り目部２３で連結されている。そのため、薄板材であっても強度の強い補強用金具２０を得ることができる。また、この金具本体２４の上層部２１の外周側の断面形状は、金属瓦１０の半円筒形部１１の内周側断面形状と略同一に形成されている。
【００１９】
さらに、鋼鈑の形状や加工条件を調整することにより、曲げ加工の際、折り目部２３の内側にリブの役割を果たすシワを発生さることができ、この場合、強度が向上する。このようにして形成された補強用金具２０は、上層部２１および下層部２２の裾部２１ａ、２２ａが一致している部分を先端側（差込側）として、半円筒形部１１の内部空間に挿嵌させる。
【００２０】
上層部２１の外周側の断面形状は、金属瓦１０の半円筒形部１１の内周側断面形状と略同一であるため、補強用金具２０を半円筒形部１１に挿入する際、上層部２１の裾部２１ａの両隅の角部にかえりを生じている場合には、この両隅の各部が半円筒形部１１の開口部に接触してスムーズな挿嵌を困難にする場合がある。そのため、図３に示すように、この両隅に面取り加工を行なって、面取り部２１ｂを設けておくことが好ましい。
【００２１】
図４（ａ）は、本実施形態において、上層部２１の裾部２１ａを下層部２２の裾部２２ａよりも短くした補強用金具２０の概略を示した斜視図であり、図４（ｂ）は図４（ａ）中のＡ−Ａ‘断面の断面図を示したものである。同図に示すように、折り曲げ加工を行なう際、上層部２１の裾部２１ａの折り目部２３からの長さを、下層部２２の裾部２２ａよりも短くしておけば、上層部２１ａの裾長さが下層部２２ａよりも短い構成となるため、補強用金具２０を前傾させて半円筒形部１１へ挿嵌する際、上層部の裾部２２ａが半円筒形部１１の開口部に接触することがないので、スムーズな挿嵌を行なうことができる。
【００２２】
本実施形態においても、実施形態１と同様に、上層部の表面であって、金具本体２の成形後に半円筒形部１１と接触する部分に、予め図２に示したような突起部８を設けておけば、半円筒形部１１に挿嵌後の補強用金具２０は、金具本体２４と半円筒形部１１との摩擦力が大きくなるため、補強用金具２０のずれや、施工時の抜けを防止することができる。
【００２３】
また、本実施形態における補強用金具２０は金具本体２４に別途固定用の部材を設けてもよい。
【図面の簡単な説明】
【００２４】
【図１】実施形態１における補強用金具を金属瓦に挿嵌する様子を示す斜視図である。
【図２】補強用金具１の製造方法の概略を示す説明図である。
【図３】実施形態２における補強用金具を金属瓦に挿嵌する様子を示す斜視図である。
【図４】実施形態２において、上層部の裾部を下層部の裾部よりも短くした補強用金具の概略を示した斜視図である。
【図５】従来例を示す概略図である。
【図６】従来例を示す別の概略図である。
【図７】従来例の問題点を示す説明図である。
【符号の説明】
【００２５】
１、２０    補強用金具
２、２４    金具本体
５    固定用爪部
６    切り込み
７    切り欠き
１０  金属瓦
１１  半円筒形部
【図１】
2005097880.tif 000003
【図２】
2005097880.tif 000004
【図３】
2005097880.tif 000005
【図４】
2005097880.tif 000006
【図５】
2005097880.tif 000007
【図６】
2005097880.tif 000008
【図７】
2005097880.tif 000009